(57)【要約】【課題】装置本体との連結作業時に、ガイド部材が破損することを抑止したシート搬送装置およびこれを備えたシート処理装置を提供する。【解決手段】給紙デッキ２のデッキ本体２０は、画像形成装置１の装置本体１０に装着される。装置本体１０は、挿入部１０Ｓを含む本体底壁１０Ｌと挿入部１０Ｓから上方に延設されシートが搬送される本体側搬送路１０Ｐとを備える。給紙デッキ２の第１シート搬送路２０５が装置本体１０の本体側搬送路１０Ｐに連通され、シートが給紙デッキ２から装置本体１０に受け渡される。ガイド部材５は、デッキ本体２０に回動可能に支持され、上面部２０１に沿って延設される第１の位置と、上面部２０１から上方に突出され、上面部２０１から本体側搬送路１０Ｐにシートをガイドする第２の位置との間で位置変更が可能とされる。【選択図】図４
2014181107.tif 000002
【特許請求の範囲】
【請求項１】
開口部を含む底部と前記開口部から上方に延設されシートが搬送される本体側搬送路とを備えた装置本体に装着され、前記底部に対向して配置される上面部を備える筐体と、
前記筐体の内部に配置され、シートが収容されるシート収容部と、
前記シート収容部から前記上面部まで延設され、前記本体側搬送路に連通可能とされ、前記シートが搬送されるシート搬送路と、
前記筐体に回動可能に支持され、前記上面部に沿った姿勢となる第１の位置と、前記上面部から上方に突出した姿勢となり、前記シート搬送路から前記本体側搬送路に前記シートをガイドする第２の位置との間で位置変更が可能なガイド部材と、
を有することを特徴とするシート搬送装置。
【請求項２】
前記第１の位置において、前記ガイド部材は、前記シート搬送路のうち前記上面部において外部に露出する領域の上方を覆うことを特徴とする請求項１に記載のシート搬送装置。
【請求項３】
前記第２の位置において、前記ガイド部材は、前記装置本体の前記開口部から前記本体側搬送路に進入することを特徴とする請求項１または２に記載のシート搬送装置。
【請求項４】
前記シート収容部は、前記筐体内に、隣接して配置される第１収容部および第２収容部を備え、
前記シート搬送路は、前記第１収容部から前記上面部まで延設される第１シート搬送路と、前記第２収容部から前記上面部まで延設される第２シート搬送路と、を備え、
前記第１シート搬送路および前記第２シート搬送路は、前記上面部において隣接して外部に露出され、
前記ガイド部材は、前記第１の位置において、前記第１シート搬送路および第２シート搬送路の前記外部に露出する領域の上方を覆うことを特徴とする請求項２に記載のシート搬送装置。
【請求項５】
前記筐体に配置され、前記シート搬送路のうち前記上面部側の領域を画定するガイド面を備えた壁部を更に有し、
前記ガイド部材は、前記壁部に回動可能に支持され、前記ガイド部材の一部は、前記第２の位置において、前記壁部の前記ガイド面に沿った姿勢となることを特徴とする請求項１乃至３の何れか１項に記載のシート搬送装置。
【請求項６】
前記筐体に対して開放され、前記シート搬送路の前記上面部側を外部に露出させる開状態と、前記シート搬送路の一部を画定する閉状態との間で状態変更が可能な開閉カバーを更に有し、
前記ガイド部材は、前記回動における支点となる支点部を備え、
前記開閉カバーの開状態において、前記外部に露出された前記シート搬送路を介して前記ガイド部材が押圧されることによって、前記ガイド部材が前記支点部回りに回動され、前記第１の位置から前記第２の位置に移動することを特徴とする請求項１乃至３の何れか１項に記載のシート搬送装置。
【請求項７】
請求項１乃至６の何れか１項に記載のシート搬送装置と、
前記シート搬送装置が装着される前記装置本体と、
前記装置本体に配置され、前記シートに所定の処理を施すシート処理部と、
を有することを特徴とするシート処理装置。
【請求項８】
前記シート処理部は、前記本体側シート搬送路に対向して配置され、前記シートに画像を形成する画像形成部であることを特徴とする請求項７に記載のシート処理装置。
【発明の詳細な説明】
【技術分野】
【０００１】
本発明は、シートを搬送するシート搬送装置、およびこれを備えたシート処理装置に関する。
【背景技術】
【０００２】
従来、シートを搬送するシート搬送装置として、画像形成装置の装置本体に装着される給紙装置が知られている。給紙装置は、直方体形状からなり、同じく直方体形状からなる画像形成装置の装置本体に装着される。多くの場合、給紙装置の上に画像形成装置が積載され、両者が固定される。
【０００３】
給紙装置は、内部にシート収容部を備え、該シート収容部から給紙装置の上面部までシート搬送路が延設される。一方、画像形成装置の装置本体では、底部から上方に向かって本体側搬送路が延設される。画像形成装置と給紙装置とが固定されると、前記シート搬送路と本体側搬送路が連通される。この結果、給紙装置から画像形成装置にシートが給送される。
【０００４】
特許文献１には、給紙装置から画像形成装置の装置本体に対して、シートを受け渡すために、給紙装置の上面部から突設されたガイド部材が開示されている。ガイド部材の先端部が画像形成装置の装置本体に向かって突出することで、シートの受け渡しが好適に実現される。
【先行技術文献】
【特許文献】
【０００５】
【特許文献１】特開２００１−１２２４４７号公報
【発明の概要】
【発明が解決しようとする課題】
【０００６】
特許文献１に記載された技術では、給紙装置の上方に画像形成装置の装置本体が積載され固定される連結作業時に、給紙装置から突設されたガイド部材に装置本体が衝突し、ガイド部材が破損するという課題があった。
【０００７】
本発明は、上記のような課題を解決するためになされたものであり、装置本体との連結作業時に、ガイド部材が破損することを抑止したシート搬送装置、およびこれを備えたシート処理装置を提供することを目的とする。
【課題を解決するための手段】
【０００８】
本発明の一局面に係るシート搬送装置は、開口部を含む底部と前記開口部から上方に延設されシートが搬送される本体側搬送路とを備えた装置本体に装着され、前記底部に対向して配置される上面部を備える筐体と、前記筐体の内部に配置され、シートが収容されるシート収容部と、前記シート収容部から前記上面部まで延設され、前記本体側搬送路に連通可能とされ、前記シートが搬送されるシート搬送路と、前記筐体に回動可能に支持され、前記上面部に沿った姿勢となる第１の位置と、前記上面部から上方に突出した姿勢となり、前記シート搬送路から前記本体側搬送路に前記シートをガイドする第２の位置との間で位置変更が可能なガイド部材と、を有することを特徴とする。
【０００９】
本構成によれば、装置本体にシート搬送装置の筐体が装着されることで、本体側搬送路とシート搬送路とが連通される。ガイド部材は、筐体に回動可能に支持され、上面部に沿った姿勢となる第１の位置と、上面部から上方に突出した姿勢となり、シート搬送路から本体側搬送路にシートをガイドする第２の位置との間で位置変更が可能とされる。このため、装置本体に筐体が装着される際には、ガイド部材が第１の位置に配置されることによって、ガイド部材が筐体に衝突することが抑止される。この結果、ガイド部材が破損することが好適に抑制される。一方、装置本体に筐体が装着されると、ガイド部材が第２の位置に配置されることで、シート搬送路から本体側搬送路にシートが好適にガイドされる。
【００１０】
上記の構成において、前記第１の位置において、前記ガイド部材は、前記シート搬送路のうち前記上面部において外部に露出する領域の上方を覆うことが望ましい。
【００１１】
本構成によれば、装置本体に筐体が装着されていない場合には、シート搬送路の上方をガイド部材が覆うことができる。このため、シート搬送路の内部に異物が入ることが抑止される。
【００１２】
上記の構成において、前記第２の位置において、前記ガイド部材は、前記装置本体の前記開口部から前記本体側搬送路に進入することが望ましい。
【００１３】
本構成によれば、筐体が装置本体に装着された際に、シート搬送路から本体側搬送路にシートを確実にガイドすることができる。
【００１４】
上記の構成において、前記シート収容部は、前記筐体内に、隣接して配置される第１収容部および第２収容部を備え、前記シート搬送路は、前記第１収容部から前記上面部まで延設される第１シート搬送路と、前記第２収容部から前記上面部まで延設される第２シート搬送路と、を備え、前記第１シート搬送路および前記第２シート搬送路は、前記上面部において隣接して外部に露出され、前記ガイド部材は、前記第１の位置において、前記第１シート搬送路および第２シート搬送路の上方を覆うことが望ましい。
【００１５】
本構成によれば、第１収容部または第２シート収容部に収容されたシートが、第１シート搬送路または第２シート搬送路を介して、本体側搬送路に搬入される。また、装置本体に筐体が装着されていない場合には、第１および第２シート搬送路の上方をガイド部材が覆うことができる。このため、第１および第２シート搬送路の内部に異物が入ることが抑止される。
【００１６】
上記の構成において、前記筐体に配置され、前記シート搬送路のうち前記上面部側の領域を画定するガイド面を備えた壁部を更に有し、前記ガイド部材は、前記壁部に回動可能に支持され、前記ガイド部材の一部は、前記第２の位置において、前記壁部の前記ガイド面に沿った姿勢となることが望ましい。
【００１７】
本構成によれば、第２の位置において、ガイド部材の一部が壁部のガイド面に沿った姿勢となる。このため、シートが壁部のガイド面からガイド部材に沿って安定してガイドされながら、本体側搬送路に搬入される。
【００１８】
上記の構成において、前記筐体に対して開放され、前記シート搬送路の前記上面部側を外部に露出させる開状態と、前記シート搬送路の一部を画定する閉状態との間で状態変更が可能な開閉カバーを更に有し、前記ガイド部材は、前記回動における支点となる支点部を備え、前記開閉カバーの開状態において、前記外部に露出された前記シート搬送路を介して前記ガイド部材が押圧されることによって、前記ガイド部材が前記支点部回りに回動され、前記第１の位置から前記第２の位置に移動することが望ましい。
【００１９】
本構成によれば、開閉カバーが開状態とされると、シート搬送路が外部に露出される。そして、露出されたシート搬送路から作業者がガイド部材にアクセスすることで、ガイド部材が第１の位置から第２の位置に移動される。この結果、筐体が装置本体に装着された後であって、ガイド部材の破損が好適に防止された状態で、ガイド部材の位置変更が実現される。
【００２０】
本発明の他の局面に係るシート処理装置は、上記の何れかに記載のシート搬送装置と、前記シート搬送装置が装着される前記装置本体と、前記装置本体に配置され、前記シートに所定の処理を施すシート処理部と、を有することを特徴とする。
【００２１】
本構成によれば、装置本体に筐体が装着される際には、ガイド部材が第１の位置に配置されることによって、ガイド部材が筐体に衝突することが抑止される。この結果、ガイド部材が破損することが好適に抑制される。一方、装置本体に筐体が装着されると、ガイド部材が第２の位置に配置されることで、シート搬送路から本体側搬送路にシートが好適にガイドされる。そして、装置本体に搬入されたシートに所定の処理を施すことが可能となる。
【００２２】
上記の構成において、前記シート処理部は、前記本体側シート搬送路に対向して配置され、前記シートに画像を形成する画像形成部であることが望ましい。
【００２３】
本構成によれば、装置本体に搬入されたシートに、安定して画像が形成される。
【発明の効果】
【００２４】
本発明によれば、装置本体との連結作業時に、ガイド部材が破損することを抑止したシート搬送装置およびこれを備えたシート処理装置が提供される。
【図面の簡単な説明】
【００２５】
【図１】本発明の実施形態に係る給紙デッキの斜視図である。
【図２】本発明の実施形態に係る給紙デッキの内部を示した斜視図である。
【図３】本発明の実施形態に係る給紙デッキの内部を示した断面図である。
【図４】図３の一部を拡大した図であって、ガイド部材が第１の位置に配置された状態のガイド部材の周辺の断面図である。
【図５】本発明の実施形態に係るガイド部材の斜視図である。
【図６】本発明の実施形態に係る壁部に支持された状態のガイド部材の斜視図である。
【図７】本発明の実施形態に係るガイド部材が第１の位置に配置された状態の斜視図である。
【図８】本発明の実施形態に係るガイド部材が第２の位置に配置された状態のガイド部材の周辺の断面図である。
【図９】本発明の実施形態に係るガイド部材が第２の位置に配置された状態の斜視図である。
【図１０】本発明の実施形態に係る画像形成装置に給紙デッキが装着された状態を示す断面図である。
【発明を実施するための形態】
【００２６】
以下、図面に基づいて、本発明の実施形態につき詳細に説明する。図１は、本発明の一実施形態に係る給紙デッキ２（シート搬送装置）の斜視図である。図２は、図１において、後記のデッキ前壁２０Ａおよび開閉カバー２０Ｃ１が取り外された状態の斜視図である。図３は、給紙デッキ２の内部構造を示す断面図である。また、図４は、画像形成装置１および給紙デッキ２の一部を示した拡大断面図である。
【００２７】
給紙デッキ２は内部にシートを収容し、所定のシート処理装置に装着され、前記シート処理装置にシートを搬送する。
【００２８】
本実施形態では、給紙デッキ２が装着される装置として、画像形成装置１（シート処理装置）が適用される。図１０は、画像形成装置１に給紙デッキ２が装着された状態を示す断面図である。画像形成装置１は、給紙デッキ２からシートを受け取り、前記シートに画像を形成する。画像形成装置１は、画像形成部１１０（シート処理部）を備える。画像形成部として、公知の電子写真方式やインクジェット方式の画像形成技術が適用される。画像形成装置１は、また装置本体１０を備える。装置本体１０は、略直方体形状からなる。装置本体１０は、図４に示すように、挿入部１０Ｓ（開口部）を含む本体底壁１０Ｌ（底部）と、前記挿入部１０Ｓから上方に延設されシートが搬送される本体側搬送路１０Ｐとを備える。挿入部１０Ｓは本体底壁１０Ｌに開口された開口部である。本体側搬送路１０Ｐには、本体搬送ローラー１０１が配置される。給紙デッキ２が装置本体１０に装着されると、シートが挿入部１０Ｓを介して本体側搬送路１０Ｐに搬入される。そして、本体搬送ローラー１０１によって搬送されたシートに、画像形成部１１０の転写ニップ部ＮＴにおいて画像が形成された後、該シートは排紙部１１１、１１２、１１３の何れかに排紙される。
【００２９】
図１を参照して、給紙デッキ２は、デッキ本体２０（筐体）を備える。デッキ本体２０は略直方体形状からなる。デッキ本体２０は、デッキ前壁２０Ａと、デッキ後壁２０Ｂと、デッキ右壁２０Ｃと、デッキ左壁２０Ｄと、上面部２０１と、シート供給部２００と、位置決め部２０Ｓとを備える。
【００３０】
デッキ前壁２０Ａは、デッキ本体２０の前面を画定する壁部である。また、デッキ前壁２０Ａは把持部２０Ｕを備える。作業者によって、把持部２０Ｕが把持されると、デッキ前壁２０Ａおよび後記の第１収容部２０２、第２収容部２０３は、デッキ本体２０の前方に引き出される。デッキ後壁２０Ｂは、デッキ本体２０の後面を画定する壁部である。同様に、デッキ右壁２０Ｃおよびデッキ左壁２０Ｄは、デッキ本体２０の右面および左面を画定する壁部である。
【００３１】
上面部２０１は、デッキ本体２０の上面を画定する。給紙デッキ２が画像形成装置１の装置本体１０に装着されると、上面部２０１は、装置本体１０の本体底壁１０Ｌに対向して配置される。
【００３２】
シート供給部２００は、上面部２０１のうち、右端部に配置される開口部である。シート供給部２００はシートの幅方向に対応して前後方向に延設され、シート供給部２００からシートが排出される。
【００３３】
位置決め部２０Ｓは、上面部２０１の後側端部において、左右方向に間隔をおいて配置される一対の突起部である。位置決め部２０Ｓは、装置本体１０の不図示の挿入孔に挿入される。位置決め部２０Ｓおよび前記挿入孔によって、デッキ本体２０と装置本体１０との位置が決定される。
【００３４】
図２および図３を参照して、給紙デッキ２は、更に第１収容部２０２（シート収容部）と、第２収容部２０３（シート収容部）と、第１搬送部３Ａと、第２搬送部３Ｂとを備える。第１収容部２０２および第２収容部２０３は、デッキ本体２０の内部において、左右方向に隣接して配置される。第１収容部２０２および第２収容部２０３は、略箱型形状からなり、内部にシートが収容される。この際、シートは、上下方向に積載されることで収容される。第１搬送部３Ａおよび第２搬送部３Ｂは、第１収容部２０２および第２収容部２０３に収容されたシートをシート供給部２００に向けて給送する。
【００３５】
図４を参照して、第１搬送部３Ａは、ピックアップローラー３１と、給紙ローラー３２と、リタードローラー３３と、搬送ローラー対３４と、を備える。また、前述の第１収容部２０２には、昇降板２０２Ｔが配置される。
【００３６】
ピックアップローラー３１は、第１収容部２０２に収容されたシートのシート面に当接して、前記シートをシート搬送方向下流側に送り出す。給紙ローラー３２は、ピックアップローラー３１よりもシート搬送方向下流側に配置され、ピックアップローラー３１によって送り出されたシートのうち最も上方に位置するシートを１枚ずつ搬送する。リタードローラー３３は、給紙ローラー３２との間で給紙ニップ部を形成する。リタードローラー３３は、最も上方に位置する前記シート以外のシートが給紙ニップ部から搬送されることを抑止する。搬送ローラー対３４は、前記給紙ニップ部よりもシート搬送方向下流側に配置された一対の搬送ローラーである。搬送ローラー対３４は、給紙ローラー３２によって搬送されたシートを更にシート供給部２００に向かって搬送する。昇降板２０２Ｔは、第１収容部２０２に配置された板金部材である。シートは、昇降板２０２Ｔの上に積載される。昇降板２０２Ｔは、不図示の駆動手段によって上下移動可能とされる。昇降板２０２Ｔの上昇によって、第１収容部２０２に収容されたシートのシート面が、ピックアップローラー３１に当接される。
【００３７】
なお、図３に示されるように、第２収容部２０３に収容されたシートを給送する第２搬送部３Ｂも、上記の第１搬送部３Ａと同様の構成を備える。
【００３８】
更に、給紙デッキ２は、第１壁部２０４と、第１シート搬送路２０５（シート搬送路）と、第２壁部２０６と、第３壁部２０７と、第１出口部２０８と、を備える。また、給紙デッキ２は、第２シート搬送路２０９（シート搬送路）と、第４壁部２１０と、第５壁部２１１（壁部）と、第２出口部２１２とを備える。
【００３９】
第１壁部２０４は、搬送ローラー対３４の右方において上下方向に延設される壁部である。搬送ローラー対３４によって搬送されたシートは、第１壁部２０４によって上方に向かってガイドされる。第１シート搬送路２０５は、第１収容部２０２から上面部２０１まで延設される搬送路である。第１シート搬送路２０５は、装置本体１０の本体側搬送路１０Ｐに連通可能とされる。第１シート搬送路２０５は、第１収容部２０２から右方に向かって、延設された後、上方に向かって延設される。第２壁部２０６は、第１シート搬送路２０５のうち上面部側の領域を画定する壁部である。第２壁部２０６は、第１シート搬送路２０５の左側部分を画定する。第２壁部２０６は、略上下方向に延設される。第３壁部２０７は、第１シート搬送路２０５のうち上面部２０１側の領域を画定する壁部である。第３壁部２０７は、第１壁部２０４の上端部に連設される。第３壁部２０７は、第１シート搬送路２０５の右側部分を画定し、シートを上方かつ左方に向かって案内する。第１壁部２０４および第３壁部２０７は、開閉カバー２０Ｃ１の左側の壁部に相当する。第１出口部２０８は、第１シート搬送路２０５の上面部２０１近傍に配置される。第１出口部２０８からシートがデッキ本体２０の外側に排出される。第１出口部２０８は、前述のシート供給部２００の一部に相当する。
【００４０】
第２シート搬送路２０９は、第２収容部２０３から上面部２０１まで延設される搬送路である。第２シート搬送路２０９は、装置本体１０の本体側搬送路１０Ｐに連通可能とされる。第２シート搬送路２０９は、第２収容部２０３から右方に向かって延設された後、上方に向かって延設される。第４壁部２１０は、第２シート搬送路２０９のうち、上方に向かって延設される領域、換言すれば、第２シート搬送路２０９のうち上面部２０１側の領域を画定する壁部である。第４壁部２１０は、第２シート搬送路２０９の右方を画定する。また、前述の第２壁部２０６と第４壁部２１０とは、同一部材からなる壁部であって、それぞれ前記壁部の右側側面および左側側面に相当する。第５壁部２１１は、デッキ本体２０に配置され、第２シート搬送路２０９のうち上面部２０１側の領域を画定する壁部である。第５壁部２１１は、第２シート搬送路２０９の左方を画定する。なお、第５壁部２１１については、後記で詳述する。第２出口部２１２は、第２シート搬送路２０９の上面部２０１近傍に配置される。第２出口部２１２からシートがデッキ本体２０の外側に排出される。第２出口部２１２は、第１出口部２０８に隣接して配置され、前述のシート供給部２００の一部に相当する。
【００４１】
このように、本実施形態では、第１シート搬送路２０５および第２シート搬送路２０９は、上面部２０１において隣接して外部に露出される。そして、第１出口部２０８および第２出口部２１２によって、前述のシート供給部２００が形成される。シート供給部２００からデッキ本体２０の外部に向かってシートが搬送される。したがって、２つのシート収容部（第１収容部２０２、第２収容部２０３）に収容されたシートが、共通のシート供給部２００を介して、装置本体１０に搬入される。
【００４２】
更に、デッキ本体２０は、開閉カバー２０Ｃ１（図１、図３）を備える。開閉カバー２０Ｃ１は、下端側を支点としてデッキ本体２０のデッキ右壁２０Ｃに対して開閉可能とされる。詳しくは、開閉カバー２０Ｃ１は、デッキ本体２０に対して開放され、第１シート搬送路２０５の上面部２０１側（第１出口部２０８）を外部に露出させる開状態と、第１シート搬送路２０５の一部を画定する閉状態との間で状態変更が可能とされる。特に、図４に示されるように、装置本体１０およびデッキ本体２０が上下方向に連結された状態であっても、開閉カバー２０Ｃ１が右方に開放されることで、第１出口部２０８がデッキ本体２０の右方に露出される。
【００４３】
更に、給紙デッキ２は、ガイド部材５を備える。図５は、本実施形態に係るガイド部材５の斜視図である。また、図６は、第５壁部２１１に支持された状態のガイド部材５の斜視図である。図４を参照して、ガイド部材５は、第１出口部２０８および第２出口部２１２の上方に配置される。詳しくは、ガイド部材５は、前述の第５壁部２１１に回動自在に支持される。
【００４４】
図５を参照して、ガイド部材５は、プレート部５１と、連設部５２と、プレートリブ５３と、プレート軸部５４（支点部）と、回り止め５５とを備える。
【００４５】
プレート部５１は、ガイド部材５の本体部分である。プレート部５１は、前後方向に延設される板状部材からなる。プレート部５１は、支持部５１Ａと、延伸部５１Ｂとを備える。図５に示される状態において、支持部５１Ａはプレート部５１の下方部分に相当する。また、延伸部５１Ｂは、支持部５１Ａから上方に向かって延設される。延伸部５１Ｂは、シートをガイドする機能を備える。なお、図５に示される状態において、延伸部５１Ｂは支持部５１Ａよりも右方に突出して配置される。換言すれば、支持部５１Ａと延伸部５１Ｂとは、所定の段差をもって連設される。連設部５２は、該段差部分に相当し、支持部５１Ａおよび延伸部５１Ｂを前後方向に沿って連設させる。プレートリブ５３は、延伸部５１Ｂにおいて、上下方向に延設されるリブである。プレートリブ５３は、前後方向に間隔をおいて複数配置される。プレートリブ５３は、延伸部５１Ｂがシートをガイドする際に、シートに付与される摩擦力を低減する機能を備える。プレート軸部５４は、支持部５１Ａの前後方向の端部から、それぞれ前後方向に突設された軸部材である。プレート軸部５４は、ガイド部材５の回動における支点となる。換言すれば、上記のプレート部５１は、一対のプレート軸部５４が形成する回転軸から、前記回転軸の回転における径方向に突設された板状部材である。回り止め５５は、プレート軸部５４の下方において、支持部５１Ａの両端部から突出される。回り止め５５は、アーチ形状からなる部材である。回り止め５５は、ガイド部材５が回動される際に、第５壁部２１１の一部に当接することで、ガイド部材５を回転方向において所定の位置に位置決めする。
【００４６】
図６を参照して、前述の第５壁部２１１は、ガイド面２１１Ａと、側壁２１１Ｂと、ガイドリブ２１１Ｒと、固定部２１１Ｓとを備える。
【００４７】
ガイド面２１１Ａは、第５壁部２１１の右側の側面である。図６に示されるように、ガイド面２１１Ａは湾曲した形状を備える。ガイド面２１１Ａは、前述の第２シート搬送路２０９のうち上面部２０１側の領域を画定し、シートの搬送をガイドする。側壁２１１Ｂは、ガイド面２１１Ａの前後方向の両端部に連設される。側壁２１１Ｂは、上面視で略Ｌ字形状からなる。側壁２１１Ｂに開口された不図示の挿入孔に、ガイド部材５のプレート軸部５４が挿通される。この結果、ガイド部材５が第５壁部２１１によって回動可能に支持される。図６に示される状態において、ガイド部材５の回り止め５５（図５）は、ガイド面２１１Ａの裏側（第５壁部２１１の左側の面）に当接している。したがって、図６に示される状態から、プレート部５１が左方に回転することが回り止め５５によって規制される。固定部２１１Ｓは、一対の側壁２１１Ｂのうち、左右方向に面する領域に開口された穴部である。固定部２１１Ｓに不図示のスクリューが挿通されることで、第５壁部２１１がデッキ本体２０の内壁部（不図示）に固定される。
【００４８】
次に、本実施形態に係るガイド部材５の作用について説明する。前述のように、ガイド部材５は、第５壁部２１１を介してデッキ本体２０に回動可能に支持される。そして、ガイド部材５は、上面部２０１に沿った姿勢となる第１の位置と、上面部２０１から上方に突出した姿勢となり、第１シート搬送路２０５および第２シート搬送路２０９から本体側搬送路１０Ｐにシートをガイドする第２の位置との間で位置変更が可能とされる。前述の図４は、ガイド部材５が第１の位置に配置された状態のガイド部材５の周辺の断面図である。また、図７は、第１の位置に配置された状態のガイド部材５の斜視図である。一方、図８は、ガイド部材５が第２の位置に配置された状態のガイド部材の周辺の断面図である。また、図９は、第２の位置に配置された状態のガイド部材５の斜視図である。
【００４９】
図４および図７に示される第１の位置にガイド部材５が配置された場合、ガイド部材５は、デッキ本体２０の上面部２０１に沿って右方に向かって延設される。換言すれば、ガイド部材５のプレート部５１は、上面部２０１の一部を構成する。このように、ガイド部材５が上面部２０１に沿った姿勢となることによって、デッキ本体２０の上に装置本体１０が装着される際に、装置本体１０がガイド部材５に衝突することが抑止される。この結果、前記衝突に伴ってガイド部材５が破損することが防止される。
【００５０】
更に、図４に示されるように、第１の位置に配置されたガイド部材５は、第１出口部２０８および第２出口部２１２（第１シート搬送路２０５および第２シート搬送路２０９のうち上面部２０１において外部に露出する領域）の上方を覆う。このため、デッキ本体２０が単体で保管された場合や、デッキ本体２０の上に装置本体１０が積載される際に、第１シート搬送路２０５および第２シート搬送路２０９に異物が入ることが抑止される。
【００５１】
一方、デッキ本体２０の上に装置本体１０が積載され固定されると、ガイド部材５は図８および図９に示される第２の位置に配置される。本実施形態では、図８の矢印Ｄ８１で示すように、デッキ本体２０に対して、開閉カバー２０Ｃ１が開放される。開閉カバー２０Ｃ１とともに第３壁部２０７が開放されることで、第１シート搬送路２０５がデッキ本体２０の右側に露出される。したがって、ガイド部材５が露出された第１シート搬送路２０５を介して作業者によって押圧されることによって、ガイド部材５がプレート軸部５４（図５）回りに回動される（図７の矢印Ｄ７１）。この結果、ガイド部材５が第１の位置（図４、図７）から第２の位置（図８、図９）に移動される。
【００５２】
第２の位置に配置されたガイド部材５は、装置本体１０の挿入部１０Ｓから本体側搬送路１０Ｐに進入する。このため、第１シート搬送路２０５および第２シート搬送路２０９から排出されたシートが、ガイド部材５を介して、本体側搬送路１０Ｐに確実にガイドされる。更に、本実施形態では、図８および図９に示されるように、第２の位置に配置されたガイド部材５のプレート部５１（ガイド部材５の一部）が、第５壁部２１１のガイド面２１１Ａに沿った姿勢となる。換言すれば、プレート部５１およびガイド面２１１Ａが、面一に配置された状態で、第２シート搬送路２０９の下流側および本体側搬送路１０Ｐの上流側が画定される。このため、シートが第５壁部２１１のガイド面２１１Ａからガイド部材５に沿って安定してガイドされながら、本体側搬送路１０Ｐに搬入される。
【００５３】
なお、作業者によって再びデッキ本体２０から装置本体１０が取り外される際には、前記作業者によって、ガイド部材５が図９の矢印Ｄ９１方向に回動されることで、ガイド部材５が上面部２０１に沿って配置されるとともに、ガイド部材５によって第１シート搬送路２０５および第２シート搬送路２０９の上面部２０１側が好適に塞がれる。
【００５４】
以上、本発明の実施形態に係る給紙デッキ２およびこれを備える画像形成装置１について説明したが、本発明はこれに限定されるものではなく、例えば次のような変形実施形態を取ることができる。
【００５５】
（１）上記の実施形態では、ガイド部材５は、図７の矢印Ｄ７１および図９の矢印Ｄ９１の方向に回動される態様にて説明したが、本発明はこれに限定されるものではない。ガイド部材５は、図８の矢印Ｄ８２で示す方向に回動される態様であってもよい。この場合、ガイド部材５が第１シート搬送路２０５および第２シート搬送路２０９を塞ぐ機能は必ずしも発現されないが、ガイド部材５が上面部２０１に沿って配置されることによって、連結作業時のガイド部材５の破損が好適に防止される。
【００５６】
（２）また、上記の実施形態では、開閉カバー２０Ｃ１が開放された後、作業者によってガイド部材５が回動される態様にて説明したが、本発明はこれに限定されるものではない。作業性が向上されるために、図４において、開閉カバー２０Ｃ１に加え、装置本体１０の本体右壁１０Ｒも右方に開放され、本体側搬送路１０Ｐの右側が外部に開放されてもよい。
【００５７】
また、変形実施形態として、図７および図９において第５壁部２１１の前側の側壁２１１Ｂに挿入されたプレート軸部５４が、デッキ前壁２０Ａ側の内壁２０Ａ２（図２）を貫通して前方に突出されることで、作業者が前記プレート軸部５４を回転させる態様であってもよい。また、不図示の駆動部によって、ガイド部材５が自動的に回動される態様であってもよい。
【００５８】
（３）また、上記の実施形態では、装置本体１０の内部において、シートに画像が形成される態様にて説明したが本発明はこれに限定されるものではない。給紙デッキ２が装着される装置本体１０は、シートを更に下流側に向かって搬送する中継搬送ユニットであってもよい。この場合、給紙デッキ２から装置本体１０に搬入されたシートは、シート処理部としての本体搬送ローラー１０１（図４）などによって所定の搬送方向に搬送される。また、装置本体１０の内部において、シートに対してその他の処理が施されてもよい。
【符号の説明】
【００５９】
１  画像形成装置
１０  装置本体
１０１  本体搬送ローラー
１０Ｌ  本体底壁（底部）
１０Ｐ  本体側搬送路
１０Ｒ  本体右壁
１０Ｓ  挿入部（開口部）
２  給紙デッキ（シート搬送装置）
２０  デッキ本体（筐体）
２００  シート供給部
２０１  上面部
２０Ａ  デッキ前壁
２０Ｂ  デッキ後壁
２０Ｃ  デッキ右壁
２０Ｃ１  開閉カバー
２０Ｄ  デッキ左壁
２０Ｓ  位置決め部
２０Ｕ  把持部
２０２  第１収容部（シート収容部）
２０２Ｔ  昇降板
２０３  第２収容部（シート収容部）
２０４  第１壁部
２０５  第１シート搬送路（シート搬送路）
２０６  第２壁部
２０７  第３壁部
２０８  第１出口部
２０９  第２シート搬送路（シート搬送路）
２１０  第４壁部
２１１  第５壁部（壁部）
２１１Ａ  ガイド面
２１１Ｂ  側壁
２１１Ｒ  ガイドリブ
２１１Ｓ  固定部
２１２  第２出口部
３１  ピックアップローラー
３２  給紙ローラー
３３  リタードローラー
３４  搬送ローラー対
３Ａ  第１搬送部
３Ｂ  第２搬送部
５  ガイド部材
５１  プレート部
５１Ａ  支持部
５１Ｂ  延伸部
５２  連設部
５３  プレートリブ
５４  プレート軸部（支点部）
５５  回り止め
【図１】
2014181107.tif 000003
【図２】
2014181107.tif 000004
【図５】
2014181107.tif 000005
【図６】
2014181107.tif 000006
【図７】
2014181107.tif 000007
【図９】
2014181107.tif 000008
【図１０】
2014181107.tif 000009
【図３】
2014181107.tif 000010
【図４】
2014181107.tif 000011
【図８】
2014181107.tif 000012